(57)【要約】【課題】  簡易的な構成で容易に収納部の表面又は裏面のいずれかを保護ケースの外観として使用できる保護ケースを提供する。【解決手段】  携帯端末を保護するための保護ケースであって、携帯端末を取り付ける取付部を有し、携帯端末を保持する保持部と、背面部と、携帯端末が保持された保持部を覆うように背面部上に開閉自在に重なる蓋部と、を有し、携帯端末を収納するための収納部であって、収納部の表面側である第１面と、保持部と、を連結する第１連結手段と、収納部の裏面側である第２面と、保持部と、を連結する第２連結手段と、を備える。【選択図】      図６
2017121000.tif 000002
【特許請求の範囲】
【請求項１】
携帯端末を保護するための保護ケースであって、
前記携帯端末を取り付ける取付部を有し、前記携帯端末を保持する保持部と、
背面部と、前記携帯端末が保持された前記保持部を覆うように前記背面部上に開閉自在に重なる蓋部と、を有し、前記携帯端末を収納するための収納部であって、
前記収納部の表面側である第１面と、前記保持部と、を連結する第１連結手段と、
前記収納部の裏面側である第２面と、前記保持部と、を連結する第２連結手段と、
を備えることを特徴とする保護ケース。
【請求項２】
請求項１の保護ケースにおいて、
前記第１面のデザインと前記第２面のデザインとが異なるデザインであることを特徴とする保護ケース。
【請求項３】
請求項１又は２の保護ケースにおいて、
前記保持部は、前記蓋部と連結する蓋部側保持部と、前記背面部と連結する背面部側保持部と、を有し、
前記第１連結手段は、前記蓋部と前記蓋部側保持部を連結する第１蓋部連結手段と、前記背面部と前記背面部側保持部を連結する第１背面部連結手段と、をそれぞれ有し、
前記第２連結手段は、前記蓋部と前記蓋部側保持部を連結する第２蓋部連結手段と、前記背面部と前記背面部側保持部を連結する第２背面部連結手段と、をそれぞれ有することを特徴とする保護ケース。
【請求項４】
請求項３の保護ケースにおいて、
前記保持部は、前記携帯端末の少なくとも前記カメラ部分を開放した状態で、前記背面部側保持部に設けられた前記取付部を介して前記携帯端末を保持し、
前記背面部側保持部と、前記第１背面部連結手段又は前記第２背面部連結手段と、の連結を解除することによって、前記携帯端末の前記カメラ前から前記収納部を離脱させることを特徴とする保護ケース。
【請求項５】
請求項１〜４のいずれかの保護ケースにおいて、
前記第１連結手段において、少なくとも前記収納部に設けられる前記第１連結手段は、前記収納部に内在して設けられ、
前記第２連結手段において、少なくとも前記収納部に設けられる前記第２連結手段は、前記収納部に内在して設けられることを特徴とする保護ケース。
【請求項６】
請求項１〜５のいずれかの保護ケースにおいて、
前記蓋部と前記背面部の少なくとも一方は磁石を備え、
前記磁石を備えていない他方は、少なくとも磁石又は磁着性金属部材のいずれかを備え、
前記背面部に対して前記蓋部が重なることで、前記背面部上への開閉を行うことを特徴とする保護ケース。
【発明の詳細な説明】
【技術分野】
【０００１】
本開示は、携帯端末を保護するための保護ケースに関するものである。
【背景技術】
【０００２】
従来、携帯音楽プレーヤーやスマートフォンと呼ばれる携帯電話等の携帯型電子機器（携帯端末）を保護する目的の保護ケースが知られている。例えば、保護ケースは、背面部上に開閉自在に重なる蓋部を有し、携帯端末を覆うための収納部（例えば、ケース本体）を有するものがある。このような、保護ケースの場合に、収納部に設けられた内枠に携帯端末を嵌め込み、携帯端末を収納部に保持（固定）する（特許文献１参照）。
【先行技術文献】
【特許文献】
【０００３】
【特許文献１】実用新案登録第３１８６３７４号公報
【発明の概要】
【発明が解決しようとする課題】
【０００４】
従来、携帯端末が収納された際に、背面部上に開閉自在に重なる蓋部を有する収納部を備える保護ケースは、収納部の表面に種々のデザインを施し、保護ケースの外観として用いられていた。
【０００５】
本開示は、上記問題点を鑑み、簡易的な構成で容易に収納部の表面又は裏面のいずれかを保護ケースの外観として使用できる保護ケースを提供することを技術課題とする。
【課題を解決するための手段】
【０００６】
上記課題を解決するために、本開示は以下のような構成を備えることを特徴とする。
【０００７】
（１）  本開示の第１態様に係る保護ケースは、携帯端末を保護するための保護ケースであって、前記携帯端末を取り付ける取付部を有し、前記携帯端末を保持する保持部と、背面部と、前記携帯端末が保持された前記保持部を覆うように前記背面部上に開閉自在に重なる蓋部と、を有し、前記携帯端末を収納するための収納部であって、前記収納部の表面側である第１面と、前記保持部と、を連結する第１連結手段と、前記収納部の裏面側である第２面と、前記保持部と、を連結する第２連結手段と、を備えることを特徴とする。
【図面の簡単な説明】
【０００８】
【図１】保護ケースの外観図を示している。
【図２】携帯端末の外観図を示している。
【図３】収納部の表面側（第１面）の構成について説明する図である
【図４】収納部の裏面側（第２面）の構成について説明する図である。
【図５】保持部の構成について説明する図である。
【図６】収納部の第１面に保持部を取り付ける場合の一例を示す図である。
【図７】収納部の第２面が保護ケースの外観デザインとなっている場合の保護ケースの外観図を示している。
【図８】携帯端末のカメラを使用する際の一例について説明する図である。
【発明を実施するための形態】
【０００９】
以下、本開示における典型的な実施形態の一つについて、図面を参照して説明する。なお、本実施形態においては、携帯端末が配置された際の携帯端末の上側を上部（図１、図２のＡ部分参照）、下側を底部（図１、図２のＢ部分参照）、側方を側部として説明する。
【００１０】
図１は、保護ケース１の外観図を示している。図２は、携帯端末２０の外観図を示している。例えば、保護ケース１は、主に、収納部（本体ケース）２、保持部（固定ケース）１０、を備える。保護ケース１は、携帯端末２０を保護するために用いられる。図１は、収納部２に設けられた蓋部３が閉じられた状態の保護ケース１を示している。
なお、保護ケース１は、携帯端末２０が収納された状態（携帯端末２０を保持した保持部１０と、収納部２と、が連結した状態）で、収納部２に設けられた蓋部３を収納部２の背面部４上に（背面部方向に向けて）重ね合わせ、蓋部３を閉じる。
【００１１】
これによって、保護ケース１の内部に携帯端末２０が収納される。なお、本実施形態においては、携帯端末２０は、正面（前面）にタッチパネル（図２参照）を備えたスマートフォンである。しかし、本開示で例示する技術は、携帯電話以外の携帯端末（例えば、タブレット端末、デジタルカメラ、携帯型音楽プレーヤー等）に装着される携帯端末にも適用できる。また、本実施形態の携帯端末２０の形状は、略立方体の箱状（換言すると、ある程度の厚みを有する矩形板状）である。しかし、携帯端末２０の形状がこれらに限定されないことは言うまでも無い。
【００１２】
＜収納部（第１面）＞
図３は、収納部２の表面側（第１面）の構成について説明する図である。例えば、収納部２の第１面は、蓋部３、背面部４、開閉部５、ポケット８等を備える。また、例えば、収納部２は、収納部２の表面側である第１面と、保持部１０（図５参照）と、を連結する第１連結手段（本実施形態では面ファスナー６、磁石７等）を備える（詳細は後述する）。なお、図３における点線部（面ファスナー６、磁石７）は、構成が収納部に内在していることを示している。
【００１３】
例えば、蓋部３は、携帯端末２０が収納された際に、携帯端末２０が保持された保持部１０を覆うように背面部４上に開閉自在に重なる。これによって、収納部２が携帯端末２０を覆うことができる。例えば、背面部４は、携帯端末の背面を覆う。例えば、本実施形態においては、蓋部３と背面部４は、同一の材料によって一体的に構成されている。もちろん、蓋部３と背面部４は、別々に構成され、連結部材等によって連結されている構成であってもよい。この場合、例えば、蓋部３と背面部４は、同一の材料によって形成されていてもよいし、異なる材料によって形成されていてもよい。例えば、蓋部３と背面部４は、皮革材又は合成樹脂材等によって形成される（本実施形態では皮革材を用いる）。もちろん、これら以外の材料（例えば、木材、金属、ガラス等）が用いられてもよい。また、収納部２には、折線２ａが設けられている。折線２ａは、収納部２が折線２ａの部分を中心として折り畳むことを補助する。これによって、蓋部３が背面部４上に開閉自在に重なる際に、容易に重ね合わせることができる。
【００１４】
例えば、ポケット８は、後述する保持部１０を差し込むために形成されている。例えば、ポケット８は、蓋部３に切り込みをいれることによって形成されている。もちろん、ポケット８は、カード（例えば、電子マネーカード、定期券等）等をいれるために用いられる構成としてもよい。
【００１５】
例えば、本実施形態において、開閉部５は、蓋部３及び背面部４にそれぞれ設けられている。それぞれの開閉部５には、磁石が内在されている（内部に埋設されている）。例えば、開閉部５の内部に埋設された磁石は、磁力によって引き合うことで接着し、背面部４に対して蓋部３を固定させる。これによって、収納部２の開閉を行う。例えば、本実施形態においては、開閉部５は、蓋部３及び背面部４の一箇所又は複数個所に設けられる（本実施形態では、１箇所ずつ設けられる）。なお、本実施形態においては、開閉部５（開閉部に内在された磁石）は、蓋部３又は背面部４にそれぞれ設けられる構成を例に挙げて説明したがこれに限定されない。背面部４に対して蓋部３が重なることで、収納部２の開閉を行う構成であればよい。例えば、蓋部３と背面部４の少なくとも一方は磁石を備え、磁石を備えていない他方（蓋部３又は背面部４）は、少なくとも磁石又は磁着性金属部材のいずれかを備える構成であってもよい。
【００１６】
なお、例えば、保持部１０が少なくとも磁石又は磁着性金属部材のいずれかを備え、保持部１０と蓋部３が磁力によって引き合うことで接着することで、収納部２の開閉を行う構成であってもよい。
【００１７】
なお、開閉部５の位置は、磁力によって、背面部４に対して蓋部３を固定させることが可能な構成であればよく、磁力が働く位置であれば、開閉部５の配置位置は、任意に設定することができる。なお、開閉部５は、携帯端末が内枠に保持された際に、電波を送受信する位置（アンテナの位置）を回避するように設置されることが好ましい。これによって、開閉部に埋設された磁石の磁力が携帯端末の電波を妨害すること等を抑制することができる。また、妨害による携帯端末の故障等を抑制することができる。
【００１８】
このように、磁石又は磁着性金属部材のいずれかの構成によって、保護ケースの開閉を行う構成とすることによって、簡易的な構成で開閉が可能となるとともに、外観をスマートにすることができる。
【００１９】
＜収納部（第２面）＞
図４は、収納部２の裏面側（第２面）の構成について説明する図である。本実施形態にとおいて、第１面のデザインと第２面のデザインとが異なるデザインで形成されている。例えば、第１面のデザインと第２面のデザインとが異なるデザインとは、第１面と第２面とで、模様、色、面形状等が異なる場合が挙げられる。また、例えば、異なるデザインとは、第１面と第２面とで、全体が異なるデザインであってもよいし、一部が異なるデザインであってもよい。なお、本実施例においては、第１面のデザインと第２面のデザインとが異なるデザインで形成されている構成を例に挙げているがこれに限定されない。例えば、第１面のデザインと第２面のデザインとが同様であってもよい。
【００２０】
例えば、収納部２の第２面は、収納部２の表面側（第１面）と同様に、蓋部３ａ、背面部４ａ、開閉部５ａ、ポケット８ａ等を備える。例えば、収納部２の第１面における背面部４の裏面側には、収納部２の第２面における背面部４ａが形成されている。また、例えば、収納部２の第１面における蓋部３の裏面側には、収納部２の第２面における蓋部３ａが形成されている。なお、収納部２の第２面における各構成の説明においては、収納部２の第１面における構成と同様であるため、詳細な説明については省略する。
【００２１】
また、例えば、収納部２の第２面には、収納部２の裏面側である第２面と、保持部１０と、を連結する第２連結手段（本実施形態では面ファスナー６ａ、磁石７ａ等）を備える（詳細は後述する）。なお、図４における点線部（面ファスナー６ａ、磁石７ａ）は、構成が収納部に内在していることを示している。
【００２２】
＜保持部＞
図５は、保持部１０の構成について説明する図である。図５（ａ）は、保持部１０の表面の形状を示している。図５（ｂ）は、保持部１０の裏面の形状を示している。例えば、保持部１０は、蓋部側保持部１３と、背面部側保持部１４と、取付部１５と、ポケット１８等を備える。
【００２３】
例えば、本実施形態においては、蓋部側保持部１３と背面部側保持部１４は、同一の材料によって一体的に構成されている。もちろん、蓋部側保持部１３と背面部側保持部１４は、別々に構成され、連結部材等によって連結されている構成であってもよい。この場合、例えば、蓋部側保持部１３と背面部側保持部１４は、同一の材料によって形成されていてもよいし、異なる材料によって形成されていてもよい。例えば、蓋部側保持部１３と背面部側保持部１４は、皮革材又は合成樹脂材等によって形成される（本実施形態では、収納部と同様に皮革材を用いる）。もちろん、これら以外の材料（例えば、木材、金属、ガラス等）が用いられてもよい。また、保持部１０には、折線１０ａが設けられている。折線１０ａは、保持部１０が折線１０ａの部分を中心として折り畳むことを補助する。これによって、蓋部側保持部１３が背面部側保持部１４上に開閉自在に重なる際に、容易に重ね合わせることができる。
【００２４】
また、本実施形態において、保持部１０は、携帯端末２０の少なくともカメラ部分を開放した状態で、背面部側保持部１４に設けられた取付部１５を介して携帯端末２０を保持する。例えば、保持部１０における背面部側保持部１４は、携帯端末２０の少なくともカメラ部分を開放した状態（携帯端末２０のカメラ部分に背面部側保持部１４が設けられていない状態）で、背面部側保持部１０に設けられた取付部１５を介して携帯端末２０を保持している。なお、本実施形態においては、保持部１０は、携帯端末２０の少なくともカメラ部分を開放した状態で、背面部側保持部１４に設けられた取付部１５を介して携帯端末２０を保持する構成を例に挙げて説明しているがこれに限定されない。例えば、保持部１０は、携帯端末２０の全体を覆うように形成する構成であってもよい。もちろん、例えば、保持部１０は、携帯端末２０が保持された際に、カメラ部分以外の携帯端末２０の一部が開放されている構成であってもよい。
【００２５】
例えば、取付部１５は、携帯端末２０を保持部１０に取り付けるための部材である。本実施形態において、取付部１５は粘着部材（シール部材）である。例えば、携帯端末２０を取付部１５に押し付けることによって、取付部１５と携帯端末２０が接着する。これによって、保持部１０に携帯端末２０が保持される。なお、取付部１５としては、粘着部材に限定されない。携帯端末２０を保持部１０に取り付けることができる構成であればよい。例えば、取付部１５としては、吸盤、磁石、治具（例えば、携帯端末２０を左右方向から挟持する構成）等の構成であってもよい。
【００２６】
例えば、ポケット１８は、カード（例えば、電子マネーカード、定期券等）等をいれるために用いられる。例えば、ポケット１８は、蓋部側保持部１３に切り込みをいれることによって形成されている。もちろん、別途、カード等を入れるための構成（例えば、袋、クリップ等）が設けられるようにしてもよい。
【００２７】
また、例えば、保持部１０は、収納部２の表面側である第１面と、保持部１０と、を連結する第１連結手段（本実施形態では接着部材１６、磁石１７等）を備える。また、例えば、保持部１０は、収納部２の裏面側である第２面と、保持部１０と、を連結する第２連結手段（本実施形態では接着部材１６、磁石１７等）を備える。すなわち、本実施形態においては、収納部２と同様に、保持部１０においても第１連結手段及び第２連結手段を備える（詳細は後述する）。なお、本実施形態においては、保持部１０における保持部１０における第１連結手段と、第２連結手段と、が兼用される。もちろん、保持部１０の表面に第１連結手段と、保持部１０の裏面に第２連結手段と、をそれぞれ設ける構成であってもよい。
【００２８】
＜第１連結手段及び第２連結手段＞
以下、第１連結手段及び第２連結手段について説明する。例えば、本実施形態において、第１連結手段は、蓋部３と蓋部側保持部１３を連結する第１蓋部連結手段と、背面部４と背面部側保持部１４を連結する第１背面部連結手段と、をそれぞれ有する。より詳細には、例えば、本実施形態において、第１連結手段として、収納部２と、保持部１０と、にそれぞれ設けられている。例えば、第１連結手段として、収納部２は、面ファスナー６、磁石７を備える。また、例えば、第１連結手段として、保持部１０は、面ファスナー１６、磁石１７を備える。
【００２９】
なお、本実施形態において、面ファスナー６及び磁石７は収納部２に内在し、磁石１７は保持部１０に内在している。より詳細には、例えば、面ファスナー６は、ポケット８を開口部として蓋部（蓋部の第１面）３の内部に配置されている。また、例えば、磁石７は、背面部４に埋設されている。また、例えば、磁石１７は、背面部側保持部１４に埋設されている。もちろん、面ファスナー１６においても、内在させる構成としてもよい。なお、第１連結手段において、少なくとも収納部２に設けられる第１連結手段は、収納部２に内在して設けられることが好ましい。すなわち、少なくとも収納部２に設けられる第１連結手段を内在させることによって、保護ケース１を使用する際の保護ケース１の外観（保護ケース１を使用する際の表面）となる部分においては、外観となる部分に第１連結手段が露出しない構成となるため、良好な外観とすることができる。
【００３０】
例えば、収納部２の面ファスナー６と、保持部１０の面ファスナー１６と、を押しあわせることによって、収納部２の面ファスナー６と保持部１０の面ファスナー１６とが連結する。すなわち、収納部２の蓋部３と、保持部１０の蓋部側保持部１３が連結される。また、例えば、収納部２の磁石７と、保持部１０の磁石１７と、をあわせることによって、磁石７と磁石１７が磁力で引きあい、収納部２の磁石７と、保持部１０の磁石１７が連結される。すなわち、収納部２の背面部４と、保持部１０の背面部側保持部１４が連結される。
【００３１】
なお、第１連結手段としては、上記構成に限定されない。第１連結手段としては、収納部２の表面側である第１面と、保持部１０と、を連結する構成であればよい。例えば、第１連結手段としては、スライド機構、磁石機構（マグネット機構）、穴機構、等が挙げられる。例えば、スライド機構としては、収納部２又は保持部１０の一方にガイド部を設け、他方に嵌合部を設け、ガイド部と嵌合部を嵌合させた状態で、収納部２又は保持部１０をスライドさせることによって、収納部２と保持部１０とが連結する構成が挙げられる。例えば、マグネット機構としては、収納部２及び保持部１０に磁石の一方にガイド部を設け、他方に嵌合部を設け、ガイド部と嵌合部を嵌合させた状態で、収納部２又は保持部１０をスライドさせることによって、収納部２と保持部１０とが連結する構成が挙げられる。また、例えば、磁石機構としては、収納部２及び保持部１０の一方に少なくとも磁石、他方に少なくとも磁石又は磁着性金属部材のいずれかを備え、収納部２と保持部１０とが磁力によって引き合うことで接着することで、収納部２と保持部１０とが連結する構成が挙げられる。また、例えば、穴機構としては、収納部２及び保持部１０に穴を設け、穴に通すための貫通部材（例えば、ストラップ等）を設ける。収納部２及び保持部１０の穴に貫通部材を通して、固定をすることによって、収納部２と保持部１０とが連結する構成が挙げられる。例えば、収納部２及び保持部１０の穴にストラップを通して固定する。
【００３２】
例えば、本実施形態において、第２連結手段は、蓋部３ａと蓋部側保持部１３を連結する第２蓋部連結手段と、背面部４ａと背面部側保持部１４を連結する第２背面部連結手段と、をそれぞれ有する。より詳細には、例えば、本実施形態において、第２連結手段として、収納部２と、保持部１０と、にそれぞれ設けられている。例えば、第２連結手段として、収納部２は、面ファスナー６ａ、磁石７ａを備える。また、例えば、第２連結手段として、保持部１０は、面ファスナー１６、磁石１７を備える。すなわち、本実施形態においては、保持部１０における第１連結手段と、第２連結手段と、が兼用される。
【００３３】
なお、本実施形態において、面ファスナー６ａ、磁石７ａ、磁石１７は、内在している。より詳細には、例えば、面ファスナー６ａは、ポケット８ａを開口部として蓋部（蓋部の第２面）３ａの内部に配置されている。また、例えば、磁石７ａは、背面部４ａに埋設されている。また、例えば、磁石１７は、背面部側保持部１４に埋設されている。もちろん、面ファスナー１６においても、内在させる構成としてもよい。なお、第２連結手段において、少なくとも収納部２に設けられる第２連結手段は、収納部２に内在して設けられることが好ましい。すなわち、少なくとも収納部２に設けられる第２連結手段を内在させることによって、保護ケース１を使用する際の保護ケース１の外観（保護ケース１を使用する際の表面）となる部分においては、外観となる部分に第２連結手段が露出しない構成となるため、良好な外観とすることができる。
【００３４】
例えば、収納部２の面ファスナー６ａと、保持部１０の面ファスナー１６と、を押しあわせることによって、収納部２の面ファスナー６ａと保持部１０の面ファスナー１６とが連結する。すなわち、収納部２の蓋部３ａと、保持部１０の蓋部側保持部１３が連結される。また、例えば、収納部２の磁石７ａと、保持部１０の磁石１７と、をあわせることによって、磁石７ａと磁石１７が磁力で引きあい、収納部２の磁石７ａと、保持部１０の磁石１７が連結される。すなわち、収納部２の背面部４ａと、保持部１０の背面部側保持部１４が連結される。
【００３５】
なお、第２連結手段としては、上記構成に限定されない。第２連結手段としては、収納部２の裏面側である第２面と、保持部１０と、を連結する構成であればよい。例えば、第２連結手段としては、第１連結手段と同様に、スライド機構、磁石機構（マグネット機構）、穴機構、等が挙げられる。
【００３６】
なお、本実施形態において、第１連結手段及び第２連結手段は、収納部２及び保持部１０のそれぞれに設けられている構成を例に挙げて説明したがこれに限定されない。収納部２の第１面と保持部１０が連結でき、収納部２の第２面と保持部が連結できる構成であればよい。
【００３７】
例えば、収納部２及び保持部１０の少なくとも一方に設けられる構成であってもよい。この場合、例えば、収納部２又は保持部１０の一方に他方（収納部２又は保持部１０）を挟持する挟持機構を設け、挟持機構によって、他方を挟持することによって、収納部２と保持部１０を連結する構成であってもよい。
【００３８】
また、例えば、第１連結手段及び第２連結手段は異なる構成であってもよい。例えば、第１連結手段は、収納部２と保持部１０の双方に設けられる構成と、第２連結手段は、収納部２及び保持部１０の一方に設けられる構成としてもよい。
【００３９】
また、例えば、収納部２の第１面と保持部１０とを連結する手段として、第２連結手段が用いられる構成としてもよい。また、例えば、収納部２の第２面と保持部１０とを連結する手段として、第１連結手段が用いられる構成としてもよい。この場合、例えば、収納部２の第１面又は第２面の少なくとも一方に設けられた共通の連結手段を用いて、保持部１０と連結される。
【００４０】
＜収納部の第１面と収納部の第２面との切り換え＞
上記のような構成を備える保護ケースにおいて、保護ケース１の外観部分として使用する面を収納部２の第１面と第２面とで切り換える方法について説明する。図６は、収納部２の第１面に保持部１０を取り付ける場合の一例を示す図である。なお、図６は、収納部２の第２面を保護ケース１の外観デザインとして使用する場合を例に挙げている。
【００４１】
例えば、蓋部側保持部１３を収納部２のポケット８から挿入し（図６の矢印参考）、収納部２の面ファスナー６と、保持部１０の面ファスナー１６と、を押しあわせる。また、収納部２の面ファスナー６と、保持部１０の面ファスナー１６と、を押しあわせて連結した後、背面部側保持部１４の磁石１７と、背面部４の磁石７と、を磁力によって連結させる。これによって、収納部２の第１面と、保持部１０が連結する。この場合、保護ケース１を使用する際に、収納部２の第２面が保護ケース１の外観デザインとなる（図７参照）。
【００４２】
なお、収納部２の第１面を保護ケース１の外観デザインとして使用する場合にも、上記記載と同様にして収納部２と保持部１０を連結させる。すなわち、例えば、蓋部側保持部１３を収納部２のポケット８ａから挿入し、収納部２の面ファスナー６ａと、保持部１０の面ファスナー１６と、を押しあわせる。また、収納部２の面ファスナー６ａと、保持部１０の面ファスナー１６と、を押しあわせて連結した後、背面部側保持部１４の磁石１７と、背面部４ａの磁石７ａと、を磁力によって連結させる。これによって、収納部２の第２面と、保持部１０が連結する。これによって、収納部２の第１面を保護ケース１の外観デザインとして使用することができる（図１参照）。
【００４３】
以上のように、本実施形態における保護ケースは、携帯端末を保持する保持部を、収納部の第１面（表面）及び第２面（裏面）のいずれにも連結できる構成である。これによって、簡易的な構成で容易に収納部の表面又は裏面のいずれかを保護ケースの外観（外観デザイン）として使用できる。また、例えば、これによって、簡易的な構成で、保護ケースの表面及び裏面のいずれか一方を保護ケースの外観デザインとして使用することが可能となり、保護ケースの外観デザインとして使用していた面に汚れや傷がついた場合であっても、表面と裏面とを切り換えることで、保護ケースの外観を良好にすることができる。
【００４４】
また、本実施形態における保護ケースは、収納部の第１面（表面）及び第２面（裏面）を異なるデザインとし、収納部の表面又は裏面のいずれかを保護ケースの外観として使用できる構成である。これによって、例えば、簡易的な構成で、保護ケースの表面及び裏面のいずれか一方を保護ケースの外観として使用することが可能となり、保護ケースにおいて種々のデザインパターンを提供できる。
【００４５】
また、本実施形態における保護ケースは、保持部を収納部に連結する際の第１連結手段と第２連結手段がそれぞれ蓋部側と背面部側に設けられている。これによって、保持部と収納部を蓋部位置と背面部位置の少なくとも複数の位置で連結することができ、より安定して、保持部と収納部を連結することができる。
【００４６】
また、本実施形態における保護ケース１において、例えば、携帯端末２０のカメラ（例えば、携帯端末２０の背面に設けられたカメラ）２１を使用する際に、背面部４，４ａによってカメラ２１が覆われてしまい、カメラ２１を使用することができない場合がある。この場合に、例えば、背面部側保持部１４と、第１背面部連結手段又は第２背面部連結手段と、の連結を解除することによって、携帯端末２０のカメラ２１前から収納部２を離脱させる。
【００４７】
より詳細に説明する。図８は携帯端末２０のカメラ２１を使用する際の一例について説明する図である。なお、図８は、収納部２の第２面を保護ケース１の外観デザインとして使用する場合を例に挙げている。例えば、携帯端末２０の使用者は、背面部側保持部１４の磁石１７と、収納部２の背面部４の磁石７と、を引き離して、背面部側保持部１４と背面部４との連結を解除する。一方、収納部２の面ファスナー６と、保持部１０の面ファスナー１６と、は連結した状態が維持されている。この状態で、背面部４を蓋部３方向に折りたたむことによって、収納部２の背面部４を携帯端末２０のカメラ２１前から離脱させる。これによって、携帯端末２０のカメラ２１が使用できる状態となる。
【００４８】
このように、本実施形態における保護ケースは、保持部の一部（例えば、背面部側保持部）と、第１連結手段又は第２連結手段と、の連結を解除することができる。これによって、携帯端末のカメラ前から収納部を離脱させることができ、簡易的な構成で容易に、保持部と収納部を連結させた状態（例えば、蓋部側保持部と収納部を連結させた状態）で、携帯端末のカメラを使用できる状態にすることができる。
【符号の説明】
【００４９】
１  保護ケース
２  収納部
３  蓋部
３ａ  蓋部
４  背面部
４ａ  背面部
５  開閉部
６  面ファスナー
６ａ  面ファスナー
７  磁石
７ａ  磁石
８  ポケット
８ａ  ポケット
１０  保持部
１３  蓋部側保持部
１４  背面部側保持部
１５  取付部
１６  面ファスナー
１７  磁石
１８  ポケット
２０  携帯端末
２１  カメラ
【図１】
2017121000.tif 000003
【図２】
2017121000.tif 000004
【図３】
2017121000.tif 000005
【図４】
2017121000.tif 000006
【図５】
2017121000.tif 000007
【図６】
2017121000.tif 000008
【図７】
2017121000.tif 000009
【図８】
2017121000.tif 000010